(57)【要約】
【課題】本体ケースの強度を向上し得るディスク収納ケースを提供する。
【解決手段】上面が開口する扁平箱体に形成されると共に一辺の側壁が切り欠かれたケース本体２と、上面が開口する扁平箱体に形成されると共に一辺の側壁が切り欠かれた蓋体３と、ケース本体２および蓋体３の一辺同士を連結するヒンジ部４と、ケース本体２の内面中央部分に突設されると共にケース本体２内に収納されたディスクの装着孔に嵌入されるディスク保持部６と、ディスク保持部６を取り囲むようにしてケース本体２の内面に突設されてディスク収納部６を区画形成する複数の区画壁５とを備え、互いに対向する一対の側壁２ｂ，２ｂの各一部および各区画壁５，５が、互いに環状に連結されている。
【選択図】図２
0003100211.tif 000002
【実用新案登録請求の範囲】
【請求項１】
　上面が開口する扁平箱体に形成されると共に一辺の側壁が切り欠かれたケース本体と、上面が開口する扁平箱体に形成されると共に一辺の側壁が切り欠かれた蓋体と、前記ケース本体および前記蓋体の前記一辺同士を連結するヒンジ部と、前記ケース本体の内面中央部分に突設されると共に当該ケース本体内に収納されたディスクの装着孔に嵌入されるディスク保持部と、当該ディスク保持部を取り囲むようにして前記ケース本体の内面に突設されてディスク収納部を区画形成する複数の区画壁とを備え、
　前記一辺を除く他の三辺における側壁の内の互いに対向する一対の側壁の各一部、および前記各区画壁の少なくとも一部が、互いに環状に連結されているディスク収納ケース。
【請求項２】
　上面が開口する扁平箱体に形成されると共に一辺の側壁が切り欠かれたケース本体と、上面が開口する扁平箱体に形成されると共に一辺の側壁が切り欠かれた蓋体と、前記ケース本体および前記蓋体の前記一辺同士を連結するヒンジ部と、前記ケース本体の内面中央部分に突設されると共に当該ケース本体内に収納されたディスクの装着孔に嵌入されるディスク保持部と、前記ディスクの外径よりも若干小径で前記ケース本体の内面において前記ディスク保持部を中心とする一の仮想円上に突設されて当該ケース本体内に収納された前記ディスクの外周部に当接可能な円弧状の外周側受け壁と、当該外周側受け壁を取り囲むようにして前記ケース本体の内面に突設されてディスク収納部を区画形成する複数の区画壁とを備え、
　前記一辺を除く他の三辺における側壁の内の互いに対向する一対の側壁の各一部、前記外周側受け壁の少なくとも一部、および前記各区画壁の少なくとも一部が、互いに環状に連結されているディスク収納ケース。
【請求項３】
　前記区画壁は、その一部が前記ケース本体の前記側壁よりも高く形成されている請求項１または２記載のディスク収納ケース。
【請求項４】
　前記区画壁の前記一部は、前記蓋体が前記ケース本体の上面を閉塞した状態において、その先端と前記蓋体の前記内面との間の距離が０．１ｍｍ以上１ｍｍ以下の範囲内となるようにその高さが規定されている請求項３記載のディスク収納ケース。
【請求項５】
　前記区画壁における前記ケース本体の隅部と対向する各部位は、その高さが当該ケース本体の前記側壁よりも低く形成されると共に対向する前記隅部に向けて突出する平面視形状に形成されることによって指挿入部を区画形成する請求項１から４のいずれかに記載のディスク収納ケース。
【請求項６】
　前記ケース本体における前記指挿入部の部位は、当該ケース本体における他の部位の板厚と比較して薄肉の板厚に形成されている請求項５記載のディスク収納ケース。
【請求項７】
　前記ケース本体、前記蓋体および前記ヒンジ部は、ポリプロピレンを用いて一体的に成形されると共に、当該ヒンジ部は、その一部が薄肉に形成されて前記ケース本体に対して前記蓋体を開閉自在に連結する請求項１から６のいずれかに記載のディスク収納ケース。
【考案の詳細な説明】
【技術分野】
【０００１】
　本考案は、コンパクトディスク（ＣＤ）、ディジタル・バーサタイル・ディスク（ＤＶＤ）等のディスク状記録媒体（本明細書では、「ディスク」ともいう）を収納するディスク収納ケースに関するものである。
【背景技術】
【０００２】
　この種のディスク収納ケースとして、特開２００３−１３７３８０号公報に開示されたディスク収納ケースが知られている。このディスク収納ケース１は、同公報中の図１に示すように、ディスク収納部２を有するケース本体３と、このケース本体３にヒンジ部４を介して回動自在に連結された蓋体５とを備えている。また、ケース本体３の内面におけるディスク収納部２の外周には、ディスクに手を掛け易くするための手挿入部７が形成されている。この場合、ディスク収納部２および手挿入部７は、ケース本体３の内面に突設された半円弧状のリブ（同図では符号は付されていない）によって区画形成されている。また、このリブは、その両端部がケース本体３の各側壁３ａ，３ａに連結されている。
【特許文献１】特開２００３−１３７３８０号公報（第３ページ、第１図）
【考案の開示】
【考案が解決しようとする課題】
【０００３】
　ところが、この従来のディスク収納ケースには、以下の問題点が存在する。すなわち、このディスク収納ケース１では、ケース本体３の各側壁３ａ，３ａは、その中央部分（具体的には、リブの端部が連結された箇所で挟まれた部分）がそれぞれ切り欠かれている。このため、この側壁３ａ，３ａが切り欠かれた中央部分における強度の低下に起因して、このディスク収納ケースには、外力が加わった際にケース本体３が破損するおそれがあるという問題点が存在する。
【０００４】
　本考案は、かかる問題点に鑑みてなされたものであり、本体ケースの強度を向上し得るディスク収納ケースを提供することを主目的とする。
【課題を解決するための手段】
【０００５】
　上記目的を達成すべく本考案に係るディスク収納ケースは、上面が開口する扁平箱体に形成されると共に一辺の側壁が切り欠かれたケース本体と、上面が開口する扁平箱体に形成されると共に一辺の側壁が切り欠かれた蓋体と、前記ケース本体および前記蓋体の前記一辺同士を連結するヒンジ部と、前記ケース本体の内面中央部分に突設されると共に当該ケース本体内に収納されたディスクの装着孔に嵌入されるディスク保持部と、当該ディスク保持部を取り囲むようにして前記ケース本体の内面に突設されてディスク収納部を区画形成する複数の区画壁とを備え、前記一辺を除く他の三辺における側壁の内の互いに対向する一対の側壁の各一部、および前記各区画壁の少なくとも一部が、互いに環状に連結されている。なお、本考案には、前記一対の側壁の各一部および各区画壁のすべてが互いに環状に連結されている構成も含まれる。
【０００６】
　また、上記目的を達成すべく本考案に係るディスク収納ケースは、上面が開口する扁平箱体に形成されると共に一辺の側壁が切り欠かれたケース本体と、上面が開口する扁平箱体に形成されると共に一辺の側壁が切り欠かれた蓋体と、前記ケース本体および前記蓋体の前記一辺同士を連結するヒンジ部と、前記ケース本体の内面中央部分に突設されると共に当該ケース本体内に収納されたディスクの装着孔に嵌入されるディスク保持部と、前記ディスクの外径よりも若干小径で前記ケース本体の内面において前記ディスク保持部を中心とする一の仮想円上に突設されて当該ケース本体内に収納された前記ディスクの外周部に当接可能な円弧状の外周側受け壁と、当該外周側受け壁を取り囲むようにして前記ケース本体の内面に突設されてディスク収納部を区画形成する複数の区画壁とを備え、前記一辺を除く他の三辺における側壁の内の互いに対向する一対の側壁の各一部、前記外周側受け壁の少なくとも一部、および前記各区画壁の少なくとも一部が、互いに環状に連結されている。なお、本考案には、前記一対の側壁の各一部、前記外周側受け壁のすべて、および各区画壁のすべてが互いに環状に連結されている構成も含まれる。
【０００７】
　この場合、前記区画壁の一部を前記ケース本体の前記側壁よりも高く形成するのが好ましい。
【０００８】
　また、前記蓋体が前記ケース本体の上面を閉塞した状態において、前記区画壁の前記一部の先端と前記蓋体の前記内面との間の距離が０．１ｍｍ以上１ｍｍ以下の範囲内となるように当該一部の先端の高さを規定するのが好ましい。この場合、前記蓋体が前記ケース本体の上面を閉塞した状態において、前記区画壁の前記一部の先端と前記蓋体の前記内面との間の距離が０．１ｍｍ以上０．５ｍｍ以下の範囲内となるように当該一部の先端の高さを規定するのがさらに好ましい。
【０００９】
　また、前記区画壁における前記ケース本体の隅部と対向する各部位の高さを当該ケース本体の前記側壁よりも低く形成すると共に対向する前記隅部に向けて突出する平面視形状にその各部位を形成することによって指挿入部を区画形成するのが好ましい。
【００１０】
　さらに、前記ケース本体における前記指挿入部の部位を、当該ケース本体における他の部位の板厚と比較して薄肉の板厚に形成するのが好ましい。
【００１１】
　また、ポリプロピレンを用いて、前記ケース本体、前記蓋体および前記ヒンジ部を一体的に成形し、当該ヒンジ部の一部を薄肉に形成して前記ケース本体に対して前記蓋体を開閉自在に連結するのが好ましい。
【考案の効果】
【００１２】
　本考案に係るディスク収納ケースによれば、互いに対向する一対の側壁の一部および各区画壁の少なくとも一部が、互いに環状に連結されて、ケース本体の内面において切れ目のない連続した環状壁を形成する。この場合、この環状壁が、補強リブとして機能して、ケース本体強固に構成する。したがって、ケース本体、ひいてはディスク収納ケース全体の強度を大幅に向上させることができる。
【００１３】
　また、本考案に係るディスク収納ケースによれば、互いに対向する一対の側壁の一部、外周側受け壁の少なくとも一部、および各区画壁の少なくとも一部が、互いに環状に連結されて、ケース本体の内面において切れ目のない連続した環状壁を形成する。この場合、この環状壁が、補強リブとして機能して、ケース本体を強固に構成する。したがって、ケース本体、ひいてはディスク収納ケース全体の強度を大幅に向上させることができる。
【００１４】
　さらに、本考案に係るディスク収納ケースによれば、区画壁の一部をケース本体の側壁よりも高く形成したことにより、蓋体がケース本体の上面を閉塞した状態において、蓋体およびケース本体の少なくとも一方に外力が加わって内側に変形する際に、蓋体の内面と区画壁の一部における先端とが当接して、その変形が規制される。したがって、区画壁の一部の高さを適切に規定することにより、蓋体およびケース本体が破損に至る変形量に到達しないように、蓋体およびケース本体の内側への変形を規制することができる。これにより、ディスク収納ケースを一般的には破損し易い偏平に形成した構成であったとしても、ディスク収納ケースの破損を十分に防止することができる。
【００１５】
　また、本考案に係るディスク収納ケースによれば、蓋体がケース本体の上面を閉塞した状態において、区画壁の一部の先端と蓋体の内面との間の距離が０．１ｍｍ以上１ｍｍ以下の範囲内となるように一部の先端の高さを規定したことにより、蓋体およびケース本体の内側への変形量を十分に規制して蓋体およびケース本体の破損を防止しつつ、蓋体に装着されたインデックスレーベルと区画壁との干渉を回避することができる。また、蓋体がケース本体の上面を閉塞した状態において、区画壁の一部の先端と蓋体の内面との間の距離が０．１ｍｍ以上０．５ｍｍ以下の範囲内となるように一部の先端の高さを規定することにより、蓋体およびケース本体の内側への変形量をより少量に規制して蓋体およびケース本体の破損を確実に防止しつつ、蓋体に装着されたインデックスレーベルと区画壁との干渉を回避することができる。
【００１６】
　さらに、本考案に係るディスク収納ケースによれば、ケース本体の側壁よりも低く形成すると共に対向する隅部に向けて突出する平面視形状となるように区画壁におけるケース本体の隅部と対向する各部位を形成したことにより、ケース本体の強度を向上させつつ、区画壁と指との干渉を低減させることができる結果、ディスク収納部に収納されているディスクの取り出し性を十分に向上させることができる。
【００１７】
　また、本考案に係るディスク収納ケースによれば、ケース本体における指挿入部の部位を、ケース本体における他の部位の板厚と比較して薄肉の板厚に形成することにより、指挿入部におけるケース本体の内面とディスクとの間の隙間を大きくすることができる。したがって、指先でディスクの外縁を一層捉え易くすることができる結果、ディスク収納部からディスクをより確実に取り出すことができる。
【００１８】
　また、本考案に係るディスク収納ケースによれば、ケース本体、蓋体およびヒンジ部をポリプロピレンを用いて一体的に成形し、ヒンジ部の一部を薄肉に形成してケース本体に対して蓋体を開閉自在に連結する構成を採用したことにより、製造コストを低減しつつ、ケース本体に対して蓋体が開閉自在に連結されたディスク収納ケースを製造することができる。
【考案を実施するための最良の形態】
【００１９】
　以下、本考案の最良の形態について図面を参照して詳細に説明する。
【００２０】
　まず、図１，２を参照して本最良の形態に係るディスク収納ケース（以下、「ケース」ともいう）１の構成について説明する。
【００２１】
　図１，２に示すように、ケース１は、ケース本体２、蓋体３およびヒンジ部４を備え、一例としてポリプロピレンを用いて一体的に成形されている。ケース本体２は、同図に示すように、平面視長方形に形成された底壁２ａ、および底壁２ａの３辺に立設された側壁２ｂ，２ｂ，２ｂを備え、上面が開口して、一辺の側壁（図１中の左側壁）が切り欠かれた偏平箱体に形成されている。蓋体３は、同図に示すように、平面視長方形（底壁２ａと同形）に形成された底壁３ａ、および底壁３ａの３辺に立設された側壁３ｂ，３ｂ，３ｂを備え、上面が開口して、一辺の側壁（図１中の右側壁）が切り欠かれた偏平箱体に形成されている。ヒンジ部４は、ケース本体２および蓋体３における側壁が切り欠かれた一辺同士（図１中におけるケース本体２（底壁２ａ）の左辺と蓋体３（底壁３ａ）の右辺同士）を、ケース本体２に対して蓋体３が開閉自在となるように連結する。具体的には、ヒンジ部４は、長方形の板体４ａと、板体４ａの各長辺に沿って形成されると共にこの各長辺（板体４ａ）とケース本体２および蓋体３における側壁が切り欠かれた各辺とを連結する薄肉部４ｂ，４ｂとを備えて構成されている。
【００２２】
　ケース本体２の内面（底壁２ａの表面）には、図１，２に示すように、一対の区画壁５，５、ディスク保持部６、内周側受け壁７、および外周側受け壁８，８・・がそれぞれ突設されている。この場合、一対の区画壁５，５は、それぞれ円弧状に形成されると共に、互いに対向する一対の側壁２ｂ，２ｂ（図１中の上下の側壁２ｂ，２ｂ）に両端部がそれぞれ連結されて、平面視円形状のディスク収納部９をケース本体２の内部に区画形成する。また、各区画壁５は、ケース本体２の４つの隅部に対向する各部位（以下、「突出部」ともいう）５ａがそれぞれ対応する隅部側に向けて突出する平面視形状に形成されて、各突出部５ａが指挿入部１０をそれぞれ区画形成するように構成されている。なお、各突出部５ａは、一例としてその平面視形状が、対応する隅部側に向けて突出する半円状に形成されているが、ディスク収納部９内にディスクが収納された状態において指挿入部１０（言い換えれば、ディスクの外周と突出部５ａとの間）に指を入れる広さを確保できる限り、その形状は限定されない。また、突出部５ａは、指挿入部１０への指の入れ易さを考慮して、その高さが側壁２ｂよりも低めに規定されている。さらに、本最良の形態では、ディスク収納部９に収納されているディスクの外縁を指先で捉え易くするために、指挿入部１０に対応する底壁２ａの板厚が、図３に示すように、他の領域よりも薄く（薄肉に）形成されている。一方、各区画壁５における突出部５ａ以外の部位（本考案における区画壁の一部。以下、「円弧部」ともいう）５ｂは、図１，２に示すように、その平面視形状が円弧状に形成されると共に、互いに対向する一対の側壁２ｂ，２ｂ間の距離よりも長く、かつディスクの外径よりも若干大径の外径に規定された１つの仮想円上に配設されている。また、円弧部５ｂは、その高さが側壁２ｂよりも高く規定されて、図５に示すように、ケース本体２の上面を蓋体３で閉塞した状態において、その先端（端面）と蓋体３の内面との間の距離が、０．１ｍｍ以上１ｍｍ以下の範囲内、好ましくは０．１ｍｍ以上０．５ｍｍ以下の範囲内となるように規定されている。また、円弧部５ｂは、その壁厚が突出部５ａの壁厚よりも厚く形成されている。
【００２３】
　ディスク保持部６は、図１，２に示すように、ケース本体２の内面中央部分において同一の仮想円（円弧部５ｂが配設されている仮想円と同心円）に沿って交互に突設された複数（一例として４つ）の保持片６ａと複数（一例として４つ）の規制壁６ｂとを備えている。各保持片６ａは、ケース本体２内に収納されたディスク（図示せず）の装着孔（図示せず）に嵌入されてその装着孔の口縁と係合することにより、ディスク保持部６からのディスクの抜けを防止する。各規制壁６ｂは、ケース本体２内に収納されたディスクの装着孔に進入してディスクの内周面に当接することにより、ディスクの径方向への移動を規制する。また、各規制壁６ｂは、図５に示すように、ケース本体２の上面を蓋体３で閉塞した状態において、その先端（端面）と蓋体３の内面との間の距離が、０．１ｍｍ以上１ｍｍ以下の範囲内、好ましくは０．１ｍｍ以上０．５ｍｍ以下の範囲内となるように規定されている。一方、保持片６ａは、図４に示すように、その高さが規制壁６ｂよりも若干低く規定されている。
【００２４】
　内周側受け壁７は、図１，２に示すように、ディスク保持部６を取り囲むようにしてケース本体２の内面中央部分に突設されている。具体的には、内周側受け壁７は、各保持片６ａおよび各規制壁６ｂが配設されている仮想円と同心であって、より大径な仮想円上に配設されている。この内周側受け壁７は、ディスク収納部９に収納されたディスク（図示せず）における底壁２ａとの対向面の内周部に当接することにより、ディスクのこの対向面に形成されている情報記録領域と底壁２ａとの間に隙間を生じさせる。
【００２５】
　外周側受け壁８は、図１，２に示すように、平面視形状が円弧状に形成されて、各円弧部５ｂが配設されている仮想円と同心であって若干小径（ディスクの外径よりも若干小径）な仮想円上に複数突設されている。一例として、各外周側受け壁８は、各円弧部５ｂの内側に配設されている。また、各外周側受け壁８は、近接する円弧部５ｂにその両端部分がそれぞれ連結されている。また、本最良の形態では、２つの突出部５ａ，５ａで挟まれた円弧部５ｂ（図１中の左右の円弧部５ｂ，５ｂ）の内側に配設された外周側受け壁８は、一例として、この円弧部５ｂの各端部側に一つずつ分離された状態で２つ配設されている。ただし、この構成に限定されるものではなく、この円弧部５ｂ全体に亘る長さの外周側受け壁８を一つ配設する構成を採用することもできるし、３つ以上の外周側受け壁８を配設する構成を採用することもできる。一方、蓋体３における互いに対向する一対の側壁３ｂ，３ｂには、同図に示すように、ディスクの内容を表示したインデックスレーベルを係止可能な係止爪１１が複数配設されて、蓋体３内にインデックスレーベルを装着可能に構成されている。
【００２６】
　このように、このケース１によれば、図１，２に示すように、ディスク収納部９を区画形成する一対の区画壁５，５の両端部が、側壁２ｂが切り欠かれた一辺を除く他の三辺における側壁２ｂ，２ｂ，２ｂのうちの互いに対向する一対の側壁２ｂ，２ｂの各一部にそれぞれ連結されている。このため、対向する一対の側壁２ｂ，２ｂの各一部、および一対の区画壁５，５の少なくとも一部（この例では、すべて）が、互いに環状（リング状）に連結されて、ケース本体２の内面において、切れ目のない連続した環状壁を形成する。この場合、この環状壁が、補強リブとして機能して、ケース本体２を強固に構成する。したがって、ケース本体２、ひいてはケース１全体の強度を大幅に向上させることができる。
【００２７】
　また、区画壁５の内の一部である円弧部５ｂがケース本体２の側壁２ｂよりも高く形成されている。このため、蓋体３がケース本体２の上面を閉塞した状態において、蓋体３およびケース本体２の少なくとも一方に外力が加わって内側に変形する際に、蓋体３の内面と円弧部５ｂの先端とが当接して、その変形が規制される。したがって、円弧部５ｂの高さを適切に規定することにより、蓋体３およびケース本体２が破損に至る変形量に到達しないように、蓋体３およびケース本体２の内側への変形を規制することができる。これにより、ケース１を一般的には破損し易い偏平に形成した構成であったとしても、蓋体３およびケース本体２、ひいてはケース１の破損を十分に防止することができる。特に、蓋体３がケース本体２の上面を閉塞した状態において、円弧部５ｂの先端と蓋体３の内面との間の距離を０．１ｍｍ以上１ｍｍ以下の範囲内に規定することにより、蓋体３およびケース本体２の内側への変形量を十分に規制して蓋体３およびケース本体２の破損を防止しつつ、蓋体３に装着されたインデックスレーベルと円弧部５ｂとの干渉を回避することができる。さらに、好ましくは、円弧部５ｂの先端と蓋体３の内面との間の距離を０．１ｍｍ以上０．５ｍｍ以下の範囲内に規定することにより、蓋体３およびケース本体２の内側への変形量をより少量に規制して蓋体３およびケース本体２の破損を確実に防止しつつ、蓋体３に装着されたインデックスレーベルと円弧部５ｂとの干渉を回避することができる。さらに、このケース１によれば、ディスク保持部６を構成する規制壁６ｂを円弧部５ｂと同等の高さに規定したことにより、蓋体３およびケース本体２の外周辺部分のみならず、中央部分の変形をも破損に至る変形量に到達しないように蓋体３およびケース本体２の内側への変形を規制することができる。これにより、蓋体３およびケース本体２、ひいてはケース１の破損を確実に防止することができる。
【００２８】
　また、区画壁５におけるケース本体２の隅部と対向する各部位としての突出部５ａを、その高さがケース本体２の側壁２ｂよりも低くなるように形成すると共に、対向する隅部に向けて突出する平面視形状に形成して指挿入部１０を区画形成したことにより、ケース本体２の強度を向上させつつ、区画壁５と指との干渉を低減させることができる結果、ディスク収納部９に収納されているディスクの取り出し性を十分に向上させることができる。
【００２９】
　さらに、ケース本体２における指挿入部１０の部位（底壁２ａ）を、ケース本体２における他の部位の板厚と比較して薄肉の板厚に形成したことにより、指挿入部１０におけるケース本体２の内面（底壁２ａの表面）とディスクとの間の隙間を大きくすることができる。したがって、指先でディスクの外縁を一層捉え易くすることができる結果、ディスク収納部９からディスクをより確実に取り出すことができる。
【００３０】
　また、ポリプロピレンを用いて、ケース本体２、蓋体３およびヒンジ部４を一体的に成形すると共に、ヒンジ部４の一部を薄肉に形成してケース本体２に対して蓋体３を開閉自在に連結する構成を採用したことにより、製造コストを低減しつつ、ケース本体２に対して蓋体３が開閉自在に連結されたケース１を製造することができる。
【００３１】
　なお、本考案は、上記した最良の形態に限定されない。例えば、上記したケース１では、対向する一対の側壁２ｂ，２ｂ間に配設された一対の区画壁５，５の両端部をそれぞれ各側壁２ｂ，２ｂに連結する構成、言い換えれば、一対の側壁２ｂ，２ｂ間に一対の区画壁５，５を架け渡した構成を採用して、互いに対向する一対の側壁２ｂ，２ｂの各一部および一対の区画壁５，５のすべてが互いに環状に連結される例について説明したが、図６に示すケース１Ａのように、ケース本体２Ａの内面に形成された区画壁５，５の一部（同図中の符号Ａで示す箇所）を分断する構成では、この分断箇所Ａに外周側受け壁８を配設することで、互いに対向する一対の側壁２ｂ，２ｂの各一部、外周側受け壁８，８・・、および一対の区画壁５，５を互いに環状に連結するように構成する。この構成においても、対向する一対の側壁２ｂ，２ｂの各一部、各外周側受け壁８，８・・の少なくとも一部（この例では、すべて）、および各区画壁５，５の少なくとも一部（この例では、すべて）が環状壁を形成し、この環状壁が、補強リブとして機能して、ケース本体２Ａを強固に構成する。したがって、ケース本体２Ａ、ひいてはケース１Ａ全体の強度を大幅に向上させることができる。
【図面の簡単な説明】
【００３２】
【図１】本考案の最良の形態に係るケース１を開いた状態の平面図である。
【図２】ケース１を開いた状態の斜視図である。
【図３】図１におけるＹ−Ｙ線の断面図である。
【図４】ケース１におけるディスク保持部６近傍の部分断面図である。
【図５】蓋体３でケース本体２の上面を閉塞した状態であって図１におけるＸ−Ｘ線で切断したときのケース１の断面図である。
【図６】本考案の他の最良の形態に係るケース１Ａを開いた状態の平面図である。
【符号の説明】
【００３３】
　　　１，１Ａ　ケース（ディスク収納ケース）
　　　２，２Ａ　ケース本体
　　２ａ　底壁
　　２ｂ　側壁
　　　３　蓋体
　　３ａ　底壁
　　３ｂ　側壁
　　　４　ヒンジ部
　　　５　区画壁
　　５ａ　突出部
　　５ｂ　円弧部
　　　６　ディスク保持部
　　　８　外周側受け壁
　　１０　指挿入部
【図１】
0003100211.tif 000003
【図２】
0003100211.tif 000004
【図３】
0003100211.tif 000005
【図４】
0003100211.tif 000006
【図５】
0003100211.tif 000007
【図６】
0003100211.tif 000008